(57)【要約】【課題】マンガンを含有する排水から、中和剤等の薬剤の使用量を抑えながら、効率的にマンガンを除去する方法を提供する。【解決手段】本発明に係るマンガンの除去方法は、ニッケル酸化鉱石に酸を添加し加圧浸出してニッケルを回収する湿式製錬プロセスにおいて排出される排水からのマンガンの除去方法であって、排水のｐＨを８．０以上９．２以下の範囲に調整し、得られたｐＨ調整後の液を、マンガン酸化細菌が存在する長さ３ｋｍ以上の排水路に供給して、１時間以上の滞留時間をかけて通液させる。【選択図】図１
2017042727.tif 000002
【特許請求の範囲】
【請求項１】
マンガンを含有する排水から該マンガンを除去するマンガンの除去方法であって、
前記排水のｐＨを８．０以上９．２以下の範囲に調整し、
得られたｐＨ調整後の液を、マンガン酸化細菌が存在する長さ３ｋｍ以上の排水路に供給して、１時間以上の滞留時間をかけて通液させる
ことを特徴とするマンガンの除去方法。
【請求項２】
前記排水のｐＨを調整するに際しては、
ｐＨ調整後の液中のマンガン濃度が操業開始後１ヶ月毎に１ｍｇ／ｌずつ増加するように調整するｐＨ値を低下させていき、ｐＨ調整後の液中のマンガン濃度が１０ｍｇ／ｌに達した時点に調整したｐＨ値を維持させる
ことを特徴とする請求項１に記載のマンガンの除去方法。
【請求項３】
前記排水は、ニッケル酸化鉱石に酸を添加し加圧浸出してニッケルを回収する湿式製錬プロセスにおいて排出される排水である
請求項１又は２に記載のマンガンの除去方法。
【発明の詳細な説明】
【技術分野】
【０００１】
本発明は、ニッケル酸化鉱石等のマンガンを含有する鉱石を原料とする湿式製錬プロセス等から排出される排水からのマンガンの除去方法に関する。
【背景技術】
【０００２】
原料であるニッケル酸化鉱石に硫酸等の酸を添加し、高温加圧下で鉱石中のニッケルを酸溶液中に浸出して回収するＨＰＡＬプロセス等の湿式製錬プロセスは、従来から行われてきた高温の炉を用いる乾式製錬プロセスに比べると、鉱石中に低品位なニッケルやコバルト等の有価物を効率よく回収できるというメリットがある。
【０００３】
しかしながら、ＨＰＡＬプロセス等による湿式製錬プロセスを用いてニッケルやコバルトを回収した後の排水となる溶液には、乾式製錬プロセスではスラグとして効率よく分離できる鉄、アルミニウム、マンガン、マグネシウム、カルシウム等の不純物が高濃度に共存するという短所もある。
【０００４】
これらの不純物は、工業的にはコストをかけて回収するほどのメリットはないが、そのまま海域に放流するには環境面で問題となる。また、水資源の有効利用のためには、排水をＨＰＡＬの処理工程に繰り返して使うことも行われており、繰り返し利用に伴って次第に不純物の濃度も増加し、鉄やカルシウムが析出して配管閉塞の原因となったりするといった問題点もある。このため、排水の一部を抜き出して排水処理工程に送り、排水に中和剤を添加してｐＨを調整して不純物を水酸化物や酸化物の形態で沈降させて分離し、処理後の濾液を放流する等の方法がとられることが多い。
【０００５】
ここで、排水に含まれる除去対象の成分としては、一般に、浮遊粒子として存在する鉄のほかに、アルミニウム、マンガンがある。
【０００６】
この中で、アルミニウムは、比較的低いｐＨで中和されて水酸化物となって除去される。鉄は、浮遊粒子をシックナー等で静置させて沈降処理し、その後にテーリングダムに送って通過することで有効に沈降除去することができる。
【０００７】
しかしながら、マンガンは、排水中に溶解状態で存在するため、ｐＨを９以上のアルカリ領域に調整するか、あるいはｐＨを調整した後に酸素や次亜塩素酸ソーダ、オゾン等の酸化剤を加えることで、二酸化マンガンの形で固形化させて除去することが行われる。特にマンガンは、排水中に数ｍｇ／ｌ程度の微量で存在する場合であっても、その排水を着色するなど好ましくない。そのため、実用上は、１ｍｇ／ｌ未満、好ましくは０．５ｍｇ／ｌ未満の濃度まで除去することが必要となる。
【０００８】
一方で、工業的なニッケル酸化鉱石のＨＰＡＬプロセスでは、原料に含まれる低品位のニッケルを回収するために、取り扱う液量が多大となり、その結果として発生する排水の量も多大な量となる。また、ＨＰＡＬプロセスでは、ニッケルを効率的に、かつ不純物と分離して回収するために、硫化剤を添加する等、還元雰囲気で処理されることが多い。このため、還元性雰囲気で存在するマンガンを酸化除去するためには、次亜塩素酸ソーダやオゾン等の酸化剤が大量に必要となり、コストや手間の点でも好ましくない。
【０００９】
そのため、消石灰等のアルカリを中和剤として添加し、排水中のｐＨを９乃至９．２以上にまで増加させ、マンガンを水酸化マンガンとして沈降除去することが行われる。
【００１０】
ところが、排水のｐＨを上げるために中和剤を添加していくと、その排水中に含まれるマグネシウムがマンガンよりも先に水酸化物になり、マンガン水酸化物の形成に添加したアルカリが優先的に消費される。そのため、存在するマンガン当量以上の中和剤添加が必要となり、より一層にコストが増加する原因となる問題があった。
【００１１】
ニッケル酸化鉱石からニッケルを回収した際に残るマンガンを分離する方法として、例えば特許文献１に示す方法が知られている。この方法は、ニッケル、コバルト、亜鉛、マンガン、マグネシウム、鉄、アルミニウム、クロム等の金属を含有する酸化鉱石から、有価金属であるニッケル、コバルト、亜鉛、マンガンを回収するにあたり、［１］あらかじめスラリー化した酸化鉱石を、工程（ｂ）で得られた加圧浸出液により硫酸酸性下で常圧浸出し、常圧浸出液と常圧浸出残留物を得る工程（ａ）と、［２］工程（ａ）で得られた常圧浸出残留物を、加圧浸出液を形成するに十分な高温、高圧の下で硫酸と反応させて加圧浸出液を得る工程（ｂ）と、［３］工程（ａ）で得られた常圧浸出液に中和剤を加え、常圧浸出液中の鉄及びアルミニウムを沈殿物として、常圧浸出液から分離する工程（ｃ）と、［４］工程（ｃ）で鉄及びアルミニウムを分離した常圧浸出液に、中和剤を加えて常圧浸出液中のニッケル、コバルト、亜鉛を水酸化物あるいは炭酸塩として沈殿せしめ、回収する工程（ｄ）と、［５］工程（ｄ）でニッケル、コバルト、亜鉛を分離した常圧浸出液に中和剤と酸化剤を加えて、常圧浸出液中のマンガンを酸化物と水酸化物あるいは酸化物と炭酸塩として沈殿させ、回収する工程（ｅ）とからなる酸化鉱石から有価金属を回収する方法である。
【００１２】
この特許文献１に開示の方法では、調整するｐＨは９未満の比較的低い値で済むという利点がある。しかしながら、この方法では、中和剤の他に酸化剤も必要となり、設備投資や薬剤コストがかさむ問題がある。
【００１３】
上述したように、特にＨＰＡＬプロセスでは、取り扱う排水量が膨大なため、調整するｐＨ値の違いがわずかであっても使用する中和剤や酸化剤のコストに大きく影響してしまう。このため、効率よくマンガンを分離して除去する方法が求められていた。
【先行技術文献】
【特許文献】
【００１４】
【特許文献１】特開２０００−２３４１３０号公報
【発明の概要】
【発明が解決しようとする課題】
【００１５】
本発明は、上述した実情に鑑みて提案されたものであり、湿式製錬プロセス、特に排水量の多いＨＰＡＬプロセス等を経て排出される、マンガンを含有する排水から、中和剤等の薬剤の使用量を抑えながら、効率的にマンガンを除去する方法を提供することを目的とする。
【課題を解決するための手段】
【００１６】
本発明者は、上述した課題を解決するために鋭意検討を重ねた。その結果、マンガンを含有する排水のｐＨを所定の範囲に調整し、ｐＨ調整後の排水を、マンガン酸化細菌が存在する所定の長さの排水路内に通液させることで、効率的にマンガンを除去できることを見出し、本発明を完成するに至った。
【００１７】
（１）本発明の第１の発明は、マンガンを含有する排水から該マンガンを除去するマンガンの除去方法であって、前記排水のｐＨを８．０以上９．２以下の範囲に調整し、得られたｐＨ調整後の液を、マンガン酸化細菌が存在する長さ３ｋｍ以上の排水路に供給して、１時間以上の滞留時間をかけて通液させる、マンガンの除去方法である。
【００１８】
（２）本発明の第２の発明は、第１の発明において、前記排水のｐＨを調整するに際しては、ｐＨ調整後の液中のマンガン濃度が操業開始後１ヶ月毎に１ｍｇ／ｌずつ増加するように調整するｐＨ値を低下させていき、ｐＨ調整後の液中のマンガン濃度が１０ｍｇ／ｌに達した時点に調整したｐＨ値を維持させる、マンガンの除去方法である。
【００１９】
（３）本発明の第３の発明は、第１又は第２の発明において、前記排水は、ニッケル酸化鉱石に酸を添加し加圧浸出してニッケルを回収する湿式製錬プロセスにおいて排出される排水である、マンガンの除去方法である。
【発明の効果】
【００２０】
本発明によれば、ＨＰＡＬプロセス等の湿式製錬プロセスを経て排出された、マンガンを含有する排水から、中和剤等の薬剤の使用量を抑えながら、効率的にマンガンを分離除去することができる。
【図面の簡単な説明】
【００２１】
【図１】排水が供給される入り口からの排水路の距離に対して、各地点でサンプリングした排水中のマンガン濃度の測定結果を示すグラフ図である。
【発明を実施するための形態】
【００２２】
以下、本発明の具体的な実施形態（以下、「本実施の形態」という）について詳細に説明する。なお、本発明は、以下の実施形態に限定されるものではなく、本発明の要旨を変更しない範囲で種々の変更が可能である。
【００２３】
本実施の形態に係るマンガンの除去方法は、マンガンを含有する排水からそのマンガンを除去する方法である。マンガンを含有する排水としては、例えば、各種の金属製錬プロセスを経て排出される排水が挙げられる。
【００２４】
具体的に、その排水としては、例えば、ニッケル酸化鉱石に硫酸等の酸を添加し加圧浸出してニッケルを回収する湿式製錬プロセス（以下、「ＨＰＡＬプロセス」という）における、ニッケルを分離回収した後に排出される排水が挙げられる。
【００２５】
ここで、ＨＰＡＬプロセスにおいては、ニッケル酸化鉱石を硫酸等の酸で浸出して得られた浸出液が、中和剤を添加しつつ浸出残渣からなるスラリーと固液分離され、次いで中和剤が添加されて不純物が分離される。さらに、その中和処理後に浸出液（ニッケル回収母液）に硫化剤が添加されて硫化処理が施され、硫化物としてニッケルが回収される。硫化処理後の硫化後液には、マンガンやアルミニウム、マグネシウム等の回収対象外の不純物成分が存在しており、排水処理工程に移送されて沈澱物として分離されて、排水となる。しかしながら、この排水には、排水処理で除去できなかったマンガンが残留している。なお、ＨＰＡＬプロセスにおいて、このような各種の工程を経るものであるため、取り扱う排水量も膨大となる。
【００２６】
具体的に、このマンガンの除去方法は、ＨＰＡＬプロセスから排出される排水のｐＨを８．０以上９．２以下の範囲に調整する工程（ｐＨ調整工程）と、得られたｐＨ調整後の液を、マンガン酸化細菌が存在する排水路に供給して、所定の滞留時間をかけて通液させる工程（排水路通液工程）とを有することを特徴としている。
【００２７】
このマンガンの除去方法は、ＨＰＡＬプロセスの排水等のマンガンが存在する排水からマンガンを効率的に且つ効果的に分離するために、先ず、従来よりも排水のｐＨを低めに調整してそのｐＨ値で分離できるマンガンを大まかに分離した後で、次に、マンガン酸化細菌を利用することでマンガンを実用上完全に除去するものである。
【００２８】
［ｐＨ調整工程］
ｐＨ調整工程では、排水路内での排水中のマンガンの除去に先立ち、排水路への供給前の排水のｐＨを調整する。本実施の形態に係るマンガンの除去方法では、上述したように、処理対象であるマンガンを含有する排水に対してｐＨ調整を行うことにより、排水のｐＨ調整のみによって分離できるマンガンを分離除去する。
【００２９】
具体的に、このｐＨ調整工程では、マンガンを実用上完全に分離できるｐＨ９．２を超える範囲まで中和するのではなく、あえて少量のマンガンが排水中に残るｐＨ８．０以上９．２以下の間に調整制御する。このようなｐＨ範囲であれば、少量の中和剤を添加することによって容易に制御することができ、適度にマンガンを除去することもできる。
【００３０】
排水のｐＨが９．２を超えるように調整すると、マンガンを完全に分離除去できる一方で、従来のように多量の中和剤が必要となり、効率的なマンガン除去処理を行うことができなくなる。一方で、排水のｐＨが８．０未満となるように調整すると、中和剤の必要量は減少するものの、ｐＨ調整後の排水を排水路内でマンガン酸化細菌により分離する際に、そのマンガン酸化細菌による除去能を超えた濃度まで排水中のマンガンが増加する可能性があり、排水中のマンガンを十分に除去できない可能性がある。
【００３１】
ｐＨ調整においては、例えば中和剤を添加して行うことができる。具体的に、中和剤としては、消石灰や石灰石等を用いることができる。本実施の形態においては、ｐＨの調整範囲を８．０以上９．２以下としていることにより、従来よりも中和剤の使用量を効果的に低減させることができ、効率的な処理を行うことができる。
【００３２】
［排水路通液工程］
排水路通液工程では、ｐＨ調整後の排水を、マンガン酸化細菌が存在する排水路（放流配管）に供給して、その排水路内を所定の滞留時間をかけて通液させる。
【００３３】
上述したように、ｐＨ調整工程では、比較的少量の中和剤を用いてｐＨ調整しながら大まかにマンガンを分離除去したのみであるため、ｐＨ調整後の排水にはマンガンが濃度数ｍｇ／ｌ程度の割合で残留している。排水路通液工程では、このようなｐＨ調整によっては分離除去できずに残留した濃度数ｍｇ／ｌ程度のマンガンを、排水路内に繁殖させたマンガン酸化細菌を利用して除去する。具体的には、その排水を、所定の長さの排水路内に、所定の滞留時間をかけて通過させる。
【００３４】
排水路にて排水を通過させるに際しては、排水と、排水路の表面、すなわちマンガン酸化細菌が存在する排水路内表面との接触面積を確保することが重要であり、その観点から、排水路内での排水の滞留時間を１時間以上とする。
【００３５】
また、排水路の路長（排水経路）としては、３ｋｍ以上の距離とする。このように、３ｋｍ以上の距離の排水路内を滞留時間として１時間以上かけて排水を流すことにより、マンガン酸化細菌と、マンガンを含有する排水とを十分に接触させることができる。
【００３６】
なお、排水路は一直線となる構造とする必要はなく、例えば途中で何度も折り返す等の構造であってもよい。また、排水路は、マンガン酸化細菌の生息に好ましい条件によって、例えば暗渠や開口構造等の適宜妥当な構造とすることができる。また、マンガン酸化細菌が繁殖し易い路壁との排水の接触機会が増えるように、排水が流れる途中に適宜障害物等を設けるようにしてもよい。
【００３７】
ここで、マンガン酸化細菌とは、マンガンを酸化する能力を有する微生物の総称である。具体的に、そのマンガン酸化細菌としては、特に限定されるものではなく、例えば、Hyphomicrobium属、Magnetospirillum属、Geobacter属、Bacillus属、Pseudomonas属等を挙げることができる。また、マンガン酸化細菌の排水路内での存在割合（濃度）についても、排水中のマンガンを効果的に分離除去できる濃度であれば特に限定されないが、例えば１００ｍｇ／Ｌ〜１０００ｍｇ／Ｌ程度の高濃度であることが好ましい。
【００３８】
なお、排水路内には、マンガン酸化細菌が効率的に増殖し得るように、マンガン酸化細菌にとっての必須栄養塩類等を含ませておくことが好ましいが、ＨＰＡＬプロセスを経てニッケル回収後に排出された貧液等の排水には、種々の塩類が含まれており、そのような排水を排水路内に通液させることで、その排水路内はマンガン酸化細菌が良好に増殖し得る環境になっている。
【００３９】
また、本実施の形態に係るマンガンの除去方法において、マンガン酸化細菌が十分に増殖していない通液初期や排水中のマンガン負荷を増加させるようなときなどには、排水のｐＨ設定値を９．２から少しずつ低下させることによって、排水路に供給する排水中のマンガン濃度を概ね１ヶ月に１ｍｇ／ｌずつ増加させ、排水路内に存在するマンガン酸化細菌に対して徐々にマンガン負荷をかけていくようにすることが好ましい。
【００４０】
このようにすることで、排水路内のマンガン酸化細菌を効率的に増殖させて、排水路の内壁表面にマンガン酸化を行うマンガン酸化細菌の膜、いわゆる生物膜を生成させることができる。そして、生物膜が生成した後は、マンガンを含む排水がその配管を通過することで有効にマンガンを酸化除去することができるため、より一層効率的に、マンガン酸化細菌によって排水中のマンガンを酸化させることができる。
【００４１】
具体的に、排水路の入り口での排水中のマンガン濃度としては、その排水のｐＨを８．０程度まで低下させて調整して、マンガンが排水中に残留する１０ｍｇ／ｌまでを限度に増加させることができる。つまり、排水路に通液させる排水中のマンガン濃度をこのような濃度まで徐々に上昇させることで、排水路内でマンガン酸化を行うマンガン酸化細菌の生物膜が徐々に生成していくようになる。そのため、濃度１０ｍｇ／ｌまで上昇したマンガンを含む排水を排水路に導入した場合でも、その排水を、３ｋｍ以上の距離を１時間以上の滞留時間をかけて流すことで、増殖したマンガン酸化細菌によって排水中のマンガンを分離除去して、実用上十分な濃度にまで低減させることができる。
【００４２】
なお、マンガン濃度の調整速度が速すぎると、つまり、ｐＨを急速に低下させてしまう、マンガンを酸化して除去する配管表面の生物膜が十分に成長する前にマンガン濃度が上昇してしまい、その結果として十分な除去効果が発揮されなくなってしまう。このため、マンガン濃度の上昇度合としては、１ヶ月に１ｍｇ／ｌの割合の速度以下で上昇させることが好ましい。
【実施例】
【００４３】
以下、本発明の実施例を示してより具体的に説明するが、本発明は以下の実施例に何ら限定されるものではない。
【００４４】
［実施例１］
ニッケル酸化鉱石を公知のＨＰＡＬプロセスを用いてニッケルを回収した後の湿式製錬の排水処理において、内径が０．２６ｍ、長さが１０ｋｍの鉄製の管からなる排水路を用意した。その排水路には、流れる液をサンプリングできる場所を数か所設けた。
【００４５】
数か所に設けた各サンプリング口から配管内壁を採取し、排水路内にはマンガン酸化細菌が存在していることが確認された。
【００４６】
具体的には、配管内壁の試験サンプルを用いてＤＮＡ解析を行ったところ、検出された既知の塩基配列の数３，７７６のうち、マンガン酸化細菌である可能性が高いバクテリアの塩基配列の数は９７５であり、その他のバクテリアの塩基配列の数は２，８０１であり、識別できたＤＮＡのうちの少なくとも１／４はマンガン酸化細菌であり、配管内壁にマンガン酸化細菌が存在していることが確認された。マンガン酸化細菌としては、Hyphomicrobium属、Magnetospirillum属、Geobacter属、Bacillus属、Pseudomonas属のバクテリアの存在が確認された。なお、既知の塩基配列とは、ＤＮＡ解析に際してデータベースに登録されていたバクテリアの塩基配列をいう。
【００４７】
先ず、排水路に流す排水に対して、あらかじめ中和剤として消石灰を添加することによって排水のｐＨを９．０〜９．２の範囲に調整した。次いで、ｐＨ調整後の排水をシックナーと沈殿池に通して、鉄、アルミニウム、及びマンガンのかなりの部分を除去した。この処理後のマンガン濃度は０．１６ｍｇ／ｌであった。つまり、このような濃度のマンガンを含む排水を、そのまま放流することはできない。
【００４８】
次に、この排水を、上述した内径０．２６ｍ、長さ１０ｋｍであって、内壁にマンガン酸化細菌が存在する排水路に供給して、その排水路内を通過させた。このとき、この排水路に流す排水の送液量を調整することで、排水路内の液の滞留時間を３．３時間、つまり配管３ｋｍを１時間で通過するように制御した。
【００４９】
排水路内を通液させ、その排水路の入り口から所定の距離で排水をサンプリングしてマンガン濃度を測定した結果、入り口から５ｋｍの距離となる位置での排水中のマンガン濃度は０．０１ｍｇ／ｌの検出下限以下となった。
【００５０】
図１は、排水が供給される入り口からの排水路の距離に対して、各地点でサンプリングした排水中のマンガン濃度の測定結果を示すグラフ図である。図１のグラフ図から分かるように、濃度０．１６ｍｇ／ｌでマンガンを含有する排水を排水路に通液させて、例えば濃度０．０４ｍｇ／ｌにまで低減させるために、３ｋｍの長さの排水路があればよいことが分かる。
【００５１】
以上のことから、マンガン酸化細菌が存在する排水路に、マンガンを含有する排水を通液させることで、マンガンを効果的に分離除去できることが分かる。また、その排水路への通液に先立ち、少量の中和剤を添加して排水のｐＨをわずかに調整することで、ある程度のマンガンを除去でき、その後、排水路に通液させることで、安価なコストで確実にマンガンを分離除去することができる。
【００５２】
［実施例２］
実施例１で用いた同一の排水路を用い、供給する排水のｐＨを、実施例１でのｐＨ９．０〜９．２から徐々にｐＨ８．０まで低下するように中和剤の添加量を次第に減少させながら調整し、排水路に供給される排水のマンガン濃度を徐々に増加させた。その結果、排水のマンガン濃度は１ヶ月に１ｍｇ／ｌのペースで上昇していった。
【００５３】
この場合でも、排水路の入り口から３ｋｍ地点でサンプリングした排水のマンガン濃度の上昇は見られず、排水路内で効果的にマンガンが除去されていることが確認できた。
【００５４】
なお、ｐＨを８．０に調整したときの排水中のマンガン濃度は、最大で１０ｍｇ／ｌまで上昇したが、この排水を排水路内に通液させた場合でも、入り口から３ｋｍ地点でのマンガン濃度は０．５ｍｇ／ｌ未満に低減されており、安定的にマンガンを除去できた。
【００５５】
つまり、この実施例２の結果から、最大で濃度１０ｍｇ／ｌのマンガンを含有する排水を通液しても、排水路内でのマンガン酸化細菌を利用した方法により、そのマンガンを実用上問題ないレベルまで除去できることが分かった。また、それだけ低いｐＨに調整しても十分処理できることから、必要な中和剤量を大幅に低減できることが確かめられた。
【００５６】
［比較例１］
実施例２で用いた同一の排水路に供給する排水に対して、添加する中和剤を減らしてｐＨを９．０〜９．２から徐々にｐＨ７．０まで低下させ、排水路に供給するマンガン濃度を１ヶ月に１．５ｍｇ／ｌ以上となるペースで上昇させた。
【００５７】
しかしながら、排水路の入り口から３ｋｍ地点でサンプリングした排水のマンガン濃度は、当初の０．２ｍｇ／ｌから徐々に上昇傾向を示し、排水路内でのマンガン除去能力の増強が追い付かないことが分かった。
【図１】
2017042727.tif 000003